(57)【要約】【課題】所定の条件を満たした場合のみ、画像データの複写を禁止する画像処理装置、画像処理方法、画像処理プログラムを提供することを目的とする。【解決手段】画像処理装置４００は、入力された画像データが複写される印刷媒体の特徴を示す特徴情報を検出する特徴検出部４４７と、特徴検出部４４７により検出された印刷媒体の特徴情報を用いて印刷媒体に対する画像データの複写を許可するか否を判定する複写許可判定部４４８とを有する。画像処理装置４００では、複写許可判定部４４６により印刷媒体に対する画像データの複写が禁止された場合のみ画像データの複写を禁止する。【選択図】図４
2009049657.tif 000002
【特許請求の範囲】
【請求項１】
入力手段から入力された画像データの出力を制御する画像処理装置において、
画像データが出力される記録媒体の特徴を示す特徴情報を検出する特徴検出手段と、
前記特徴検出手段により検出された前記特徴情報に基づき前記記録媒体に対する前記画像データの出力を許可するか否を判定する出力許可判定手段とを有し、
前記出力許可判定手段による判定結果を用いて前記画像データの出力を制御することを特徴とする画像処理装置。
【請求項２】
前記入力手段から入力された画像データに含まれる出力制御情報を検出する出力制御情報検出手段と、
前記出力制御情報検出手段により検出された前記出力制御情報に基づき前記画像データの出力が禁止されているか否かを判定する出力禁止データ判定手段とを有し、
前記出力許可判定手段による判定結果と、前記出力禁止データ判定手段による判定結果とに基づき、前記画像データの出力を制御することを特徴とする請求項１に記載の画像処理装置。
【請求項３】
画像データを所定の画像データに書き換える画像書換手段を有し、
前記画像書換手段は、
前記出力禁止データ判定手段により、前記画像データの出力が禁止さていると判定され、かつ前記出力許可判定手段により前記記録媒体に対する前記画像データの出力が許可されないと判定されたとき、前記画像データを前記所定の画像データに書き換えることを特徴とする請求項１または２に記載の画像処理装置。
【請求項４】
前記出力禁止データ判定手段により、前記画像データの出力が禁止されていると判定され、かつ前記出力許可判定手段により前記記録媒体に対する前記画像データの出力が許可されると判定されたとき、前記画像データへ所定の識別情報を付加する画像加工手段を有することを特徴とする請求項１ないし３の何れか一項に記載の画像処理装置。
【請求項５】
前記入力手段から入力された画像データを記憶する記憶装置と、
前記記憶装置に記憶された画像データを、当該画像処理装置と接続された情報処理装置へ送出する送出手段と、
前記送出手段により前記情報処理装置へ送出された画像データを前記記憶装置から消去する制御手段とを有することを特徴とする請求項１ないし４の何れか一項に記載の画像処理装置。
【請求項６】
前記記録媒体の特徴情報は、前記記録媒体の色に係る情報、前記記録媒体における印字に係る情報、前記記録媒体の紙紋に係る情報のうち、少なくとも一の情報を含むことを特徴とする請求項１ないし５の何れか一項に記載の画像処理装置。
【請求項７】
入力装置から入力された画像データを出力する画像処理装置による画像処理方法において、
画像データが出力される記録媒体の特徴を示す特徴情報を検出する特徴検出手順と、
前記検出された前記記録媒体の前記特徴情報を用いて、前記記録媒体に対する前記画像データの出力を許可するか否を判定する出力許可判定手順とを有することを特徴とする画像処理方法。
【請求項８】
入力装置から入力された画像データを出力する画像処理装置における画像処理プログラムにおいて、
コンピュータに、
画像データが出力される記録媒体の特徴を示す特徴情報を検出する特徴検出ステップと、
前記検出された前記記録媒体の前記特徴情報を用いて、前記記録媒体に対する前記画像データの出力を許可するか否を判定する出力許可判定ステップとを実行させることを特徴とする画像処理プログラム。
【請求項９】
請求項８に記載された画像処理プログラムが記録されたコンピュータに読取可能な記録媒体。
【発明の詳細な説明】
【技術分野】
【０００１】
本発明は、画像データの複写を行う画像処理装置に関する。
【背景技術】
【０００２】
近年のデジタルカラー複合機などでは、その画像処理技術及び画像形成技術の向上により、例えば紙原稿を複写する場合には複写物を原本と容易に区別できないほど忠実に紙原稿を複写することができる。
【０００３】
一方、企業等の組織では、機密保持の観点から、情報漏洩を防ぐために複写が禁じられた機密文書が多数存在する。
【０００４】
このため、複合機などにおいて、例えば特定の機密文書の複写を禁止したり、正確な複写を行わないようにするなど、機密文書の複写を制限する機能が求められている。このような複写の制限の係る技術として、例えば特許文献１には、カラーによる背景のドットパターンを適切に検出することができる画像処理装置、画像処理方法、画像処理プログラム及び記録媒体が記載されている。また特許文献２には、機密文書の再現処理、例えば複写を確実に防止する画像処理装置、画像処理方法、画像処理プログラム及び画像処理プログラムを記録する記録媒体が記載されている。
【特許文献１】特開２００６−２０３７８１号公報
【特許文献２】特開２００４−２７４０９２号公報
【発明の開示】
【発明が解決しようとする課題】
【０００５】
しかしながら、上記従来の技術では、機密文書の複写が無条件に制限される。このため、例えば機密文書を複写する権限を有する管理者などが複写を行う際にも複写が禁止される場合があり、融通性に欠けるという問題点がある。
【０００６】
そこで本発明は、上記の問題点を鑑みてこれを解決すべく成されたものであり、所定の条件を満たした場合のみ、画像データの複写を禁止する画像処理装置、画像処理方法、画像処理プログラムを提供することを目的とする。
【課題を解決するための手段】
【０００７】
本発明は、上記の目的を達成するために以下の構成を採用した。
【０００８】
本発明の画像処理装置は、入力手段から入力された画像データの出力を制御する画像処理装置において、画像データが出力される記録媒体の特徴を示す特徴情報を検出する特徴検出手段と、前記特徴検出手段により検出された前記特徴情報に基づき前記記録媒体に対する前記画像データの出力を許可するか否を判定する出力許可判定手段とを有し、前記出力許可判定手段による判定結果を用いて前記画像データの出力を制御する構成とした。
【０００９】
係る構成によれば、所定の条件を満たした場合のみ、画像データの出力を禁止することができる。
【００１０】
また本発明の画像処理装置は、前記入力手段から入力された画像データに含まれる出力制御情報を検出する出力制御情報検出手段と、前記出力制御情報検出手段により検出された前記出力制御情報に基づき前記画像データの出力が禁止されているか否かを判定する出力禁止データ判定手段とを有し、前記出力許可判定手段による判定結果と、前記出力禁止データ判定手段による判定結果とに基づき、前記画像データの出力を制御する構成とした。
【００１１】
係る構成によれば、入力された画像データが出力が禁止された画像データであるか否か判定でき、この判定結果を用いて印刷媒体への画像データの出力を行うか否かを判定することができる。
【００１２】
また本発明の画像処理装置は、画像データを所定の画像データに書き換える画像書換手段を有し、前記画像書換手段は、前記出力禁止データ判定手段により、前記画像データの出力が禁止さていると判定され、かつ前記出力許可判定手段により前記記録媒体に対する前記画像データの出力が許可されないと判定されたとき、前記画像データを前記所定の画像データに書き換える構成とした。
【００１３】
係る構成によれば、前記印刷媒体に対する画像データの出力を禁止することができる。
【００１４】
また、前記出力禁止データ判定手段により、前記画像データの出力が禁止されていると判定され、かつ前記出力許可判定手段により前記記録媒体に対する前記画像データの出力が許可されると判定されたとき、前記画像データへ所定の識別情報を付加する画像加工手段を有する構成とした。
【００１５】
係る構成によれば、例え複写が禁止された画像データであると判定された場合でも、この画像データを複写することができる。
【００１６】
また本発明の画像処理装置は、前記入力手段から入力された画像データを記憶する記憶装置と、前記記憶装置に記憶された画像データを、当該画像処理装置と接続された情報処理装置へ送出する送出手段と、前記送出手段により前記情報処理装置へ送出された画像データを前記記憶装置から消去する制御手段とを有する構成とした。
【００１７】
係る構成によれば、複写が禁止された画像データが入力されたことをログとして残すことができる。
【００１８】
また、前記記録媒体の特徴情報は、前記記録媒体の色に係る情報、前記記録媒体における印字に係る情報、前記記録媒体の紙紋に係る情報のうち、少なくとも一の情報を含むものとした。
【００１９】
係る構成によれば、記録媒体の特徴情報を得ることができる。
【００２０】
本発明は、入力装置から入力された画像データを出力する画像処理装置による画像処理方法において、画像データが出力される記録媒体の特徴を示す特徴情報を検出する特徴検出手順と、前記検出された前記記録媒体の前記特徴情報を用いて、前記記録媒体に対する前記画像データの出力を許可するか否を判定する出力許可判定手順とを有する方法とした。
【００２１】
係る方法によれば、所定の条件を満たした場合のみ、画像データの複写を禁止することができる。
【００２２】
本発明は、入力装置から入力された画像データを出力する画像処理装置における画像処理プログラムにおいて、コンピュータに、画像データが出力される記録媒体の特徴を示す特徴情報を検出する特徴検出ステップと、前記検出された前記記録媒体の前記特徴情報を用いて、前記記録媒体に対する前記画像データの出力を許可するか否を判定する出力許可判定ステップとを実行させるプログラムとした。
【００２３】
係るプログラムによれば、所定の条件を満たした場合のみ、画像データの複写を禁止することができる。
【００２４】
本発明の記録媒体は、上記した画像処理プログラムが記録されたコンピュータに読取可能な記録媒体とすることができる。
【発明の効果】
【００２５】
本発明によれば、所定の条件を満たした場合のみ、画像データの複写を禁止することができる。
【発明を実施するための最良の形態】
【００２６】
本発明の画像処理装置は、入力された画像データが複写される印刷媒体の特徴を示す特徴情報を検出する特徴検出部と、特徴検出部により検出された印刷媒体の前記特徴情報を用いて、この印刷媒体に対する画像データの複写を許可するか否を判定する複写許可判定部とを有する。本発明の画像処理装置では、複写許可判定部により印刷媒体に対する画像データの複写が許可されないと判定された場合のみ画像データの複写を禁止する。
【００２７】
（第一の実施形態）
以下に、本発明の第一の実施形態の説明に先立ち、本実施形態の画像処理装置において複写される原本となる紙原稿と、本実施形態の画像処理装置において画像データが出力される記録媒体とについて説明する。
【００２８】
本実施形態における記録媒体とは、画像データを出力（複写）可能な媒体であり、例えば印刷用紙やＯＨＰ（overhead projector)シートなどである。
【００２９】
図１は、第一の実施形態の画像処理装置において複写される紙原稿１０１の例を説明する図である。図１に示す紙原稿１０１は、背景ドットパターンとしての地紋パターン１０３に画像データ１０２が重畳されて形成されている。この地紋パターン１０３は、予め印刷用紙に印刷されていても良いし、印刷用紙に画像データ１０２を形成する際に、同時に形成されたものであっても良い。また、この地紋パターン１０３には、紙原稿１０１が本実施形態の画像処理装置において複写されることにより視認可能となるメッセージ領域が埋め込まれている。
【００３０】
以下に図２、図３を参照して紙原稿１０１の複写物及びメッセージ領域について説明する。図２は、第一の実施形態の画像処理装置において複写された紙原稿１０１の複写物を説明する第一の図である。図３は、第一の実施形態の画像処理装置において複写された紙原稿１０１の複写物を説明する第二の図である。
【００３１】
本実施形態の画像処理装置において複写される紙原稿１０１には、異なる大きさのドットにより形成された地紋パターン１０３が埋め込まれている。異なる大きさのドットとは、例えば画像処理装置がドットとして認識可能な大きさのドット（以下、大ドット）と、画像処理装置において認識不可能な大きさのドット（以下、小ドット）である。
【００３２】
図２に示す例では、地紋パターン１０３において、「複写禁止」なるメッセージ１０４が小ドットで形成されている場合を示している。この場合画像処理装置では、紙原稿１０１の複写時に小ドットを認識しないため、複写物では小ドットで形成されたメッセージ１０４が白抜きの状態で視認可能となる。
【００３３】
図３に示す例では、地紋パターン１０３において、「複写禁止」なるメッセージ１０４が大ドットで形成されている場合を示している。この場合画像処理装置では、紙原稿１０１の複写時に大ドットのみが認識されて複写されるので、メッセージ１０４が視認可能となる。
【００３４】
以下、図面を参照して本実施形態の画像処理装置における特徴的な部分についてさらに説明する。
【００３５】
図４は、第一の実施形態の画像処理装置４００の機能構成を示すブロック図である。
【００３６】
本実施形態の画像形成装置４００は、画像取得部４１０、用紙画像取得部４２０、出力部４３０、画像処理部４４０、システム制御部４５０、操作表示部４６０とを備える。
【００３７】
画像処理装置４００では、操作表示部４６０により画像データの複写指示がなされると、システム制御部４５０がこの指示を受けて画像取得部４１０に原本となる紙原稿の画像データを取得させる。またシステム制御部４５０は、用紙画像取得部４２０に、画像データが複写される印刷媒体である印刷用紙の画像データを取得させる。印刷用紙の画像データについての詳細は後述する。画像処理部４４０は、システム制御部４５０の指示により取得された２つの画像データを用いた画像処理を行う。画像処理部４４０により画像処理が施された画像データは、出力部４３０により印刷出力される。
【００３８】
以下に画像処理装置４００の有する各部についてさらに説明する。
【００３９】
画像取得部４１０は、画像処理装置４００の備える入力手段であり、複写の原本となる紙原稿から画像データを取得する。ここで画像取得部４１０は、例えばスキャナ及びスキャナエンジンなどにより実現される。
【００４０】
用紙画像取得部４２０は、画像取得部４１０により取得された画像データが複写される印刷用紙の画像データを取得する。ここで本実施形態における印刷用紙の画像データについて、図５を参照して説明する。
【００４１】
図５は、第一の実施形態の画像処理装置４００において画像データが複写される印刷用紙を説明する図である。
【００４２】
本実施形態の画像処理装置４００では、画像データを複写するための印刷用紙として、図５に示す印刷用紙Ａ、印刷用紙Ｂ、印刷用紙Ｃ、印刷用紙Ｄの４種類が用意されている。
【００４３】
印刷用紙Ａは、色が付いた印刷用紙であり、印刷用紙Ｂは用紙全面に施された印字加工により形成された地模様を有する印刷用紙である。印刷用紙Ｃは、用紙の一部に施された印字加工により形成されたスタンプを有する印刷用紙である。印刷用紙Ｄは、特殊な加工が施されていない一般の印刷用紙である。
【００４４】
本実施形態の画像処理装置４００では、上記のように特徴を有する複数種類の印刷用紙を、画像データが複写される複写用印刷用紙として用いる。本実施形態の画像処理装置４００では、複写用印刷用紙の特徴を示す情報を用いて複写用印刷用紙に対する画像データの複写を許可するか否かを判定する。
【００４５】
また、図５に示すような複数種類の印刷用紙を準備することで、画像データの複写する際に、原本と異なる種類の印刷用紙を使用することができる。このため、原本と複写物とを即座に見分けることができる。尚、本実施形態の画像処理装置４００では、画像データが複写される印刷用紙が複写用印刷用紙として操作表示部４６０により選択されても良い。
【００４６】
本実施形態の画像処理装置４００の有する用紙画像取得部４２０では、画像データが複写される印刷用紙の画像データを取得する。すなわち、本実施形態における用紙画像取得部４２０は操作表示部４６０により選択された複写用印刷用紙の画像データを取得する。
【００４７】
例えば操作表示部４６０において、複写用印刷用紙として印刷用紙Ａが選択された場合、用紙画像取得部４２０は、印刷用紙Ａの画像データ、即ち色に係る画像データを取得する。また操作表示部４６０において、複写用印刷用紙として印刷用紙Ｂが選択された場合、用紙画像取得部４２０は印刷用紙Ｂの画像データ、即ち地模様に係る画像データを取得する。さらに操作表示部４６０において、複写用印刷用紙として印刷用紙Ｃが選択された場合、用紙画像取得部４２０は印刷用紙Ｃの画像データ、即ちスタンプに係る画像データを取得する。そして操作表示部４６０において、複写用印刷用紙として印刷用紙Ｄが選択された場合、用紙画像取得部４２０は印刷用紙Ｄの画像データを取得する。即ち通常の印刷用紙であることを示す画像データを取得する。
【００４８】
尚ここで、本実施形態の画像処理装置４００において、これら複数種類の印刷用紙は、図示しない複数の給紙トレイに種類別に格納されていても良い。またはこの複写用印刷用紙は、例えばシステム制御部４５０による制御において自動的に選択されない給紙トレイに格納されていても良い。自動的に選択されない給紙トレイとは、例えば手差し用トレイなどである。
【００４９】
ここで図４に戻り、画像処理装置４００の有する各部の説明を再開する。
【００５０】
画像処理装置４００の有する出力部４３０は、画像処理部４４０により画像処理された画像データを複写用印刷用紙に印刷して出力する。出力部４３０は、例えばプロッタ、プロッタエンジン等により実現される。
【００５１】
画像処理部４４０は、本実施形態の画像処理装置４００において実現される各種の画像処理が行われる。画像処理部４４０は、フィルタ処理部４４１、変倍処理部４４２、γ処理部４４３、階調処理部４４４、セレクタ部４２５、地紋パターン検出部４４５、複写禁止データ判定部４４６、特徴検出部４４７、複写許可判定部４４８とを有する。
【００５２】
画像処理部４４０におけるフィルタ処理部４４１、変倍処理部４４２、γ処理部４４３、階調処理部４４４は、一般的なデジタル複写機が備える同等の回路構成と異なる点はないため、その説明は省略する。
【００５３】
地紋パターン検出部４４５は、画像取得部４１０により取得さたれ画像データの地紋パターンを検出する。本実施形態では、地紋パターンは、画像データの出力が許可されているか否かを示す判定に使用される出力制御情報であり、地紋パターン検出部４４５は、出力制御情報検出手段に該当する。複写禁止データ判定部４４６は、地紋パターン検出部４４５により検出された地紋パターンを用いて、画像取得部４１０により取得された画像データの複写が禁止されているか否かを判定する。ここで複写禁止データ判定部４４６における判定処理を説明する。
【００５４】
本実施形態の画像処理装置４００は、図示しない記憶装置を有し、この記憶装置には複写を禁止する画像データの地紋パターンが記憶されている。複写禁止データ判定部４４６は、地紋パターン検出部４４５により検出された地紋パターンと、記憶装置に記憶された地紋パターンとを比較し、両者が一致していた場合、画像取得部４１０により取得された画像データを、複写が許可された画像データと判定する。そして複写禁止データ判定部４４６は、地紋パターン検出部４４５により検出された地紋パターンが、記憶装置に記憶された地紋パターンと一致しない場合、画像取得部４１０に取得された画像データの複写は禁止されているものと判定する。
【００５５】
複写禁止データ判定部４４６は、この判定結果を示す信号をセレクタ部４４９へ出力する。
【００５６】
特徴検出部４４７は、用紙画像取得部４２０により取得された複写用印刷用紙の画像データから、画像データの特徴に係る情報である特徴情報を検出する。ここで、本実施形態における特徴検出部４４７により検出される特徴情報とは、例えば色に係る情報、複写用印刷用紙の印字に係る情報である地模様やスタンプに係る情報である。これらの情報は、例えば画像から色や形などの特徴を抽出し、数値化した情報である特徴量により示されても良い。また本実施形態の画像処理装置においては、複写用印刷用紙の特徴情報として、上記の画像データから取得される情報以外にも、例えば複写用印刷用紙の紙紋に係る情報を用いても良い。
【００５７】
複写許可判定部４４８は、特徴検出部４４７により検出された複写用印刷用紙の特徴情報を用いてこの複写用印刷用紙に対する画像データの複写を許可するか否かを判定する。以下に複写許可判定部４４８における判定処理を説明する。
【００５８】
本実施形態の画像処理装置４００では、図示しない記憶装置を有し、この記憶装置には画像データの複写が許可されない複写用印刷用紙の特徴情報が記憶されている。複写許可判定部４４８は、特徴検出部４４７により検出された複写用印刷用紙の特徴情報が、記憶装置に記憶された特徴情報と一致する場合、この複写用印刷用紙に対する画像データの複写を許可する。尚ここで、画像データの複写が許可される複写用印刷用紙の特徴情報は、複写を禁止する画像データの地紋パターンが記憶された記憶装置と同一の記憶装置に記憶されていても良い。
【００５９】
また複写許可判定部４４８は、特徴検出部４４７により検出された特徴情報が記憶装置に記憶された特徴情報と一致しない場合、この複写用印刷用紙に対する画像データの複写を禁止する。複写許可判定部４４８は判定結果を示す信号をセレクタ部４４９へ出力する。
【００６０】
セレクタ部４４９は、複写禁止データ判定部４４６及び複写許可判定部４４８による判定結果を示す信号に基づき画像データを複写する処理又は画像データを複写しない処理の何れか一方の処理を選択する。またセレクタ部４４９は画像書換部４４９ａを有する。画像書換部４４９ａは、セレクタ部４４９が画像データを複写しない処理を選択した場合に、画像取得部４１０により取得された画像データを所定の画像データへ書き換える処理を行う。
【００６１】
ここでの所定の画像データとは、例えば画像データを灰色に塗りつぶす事が可能な画像データなどである。尚ここで、所定の画像データは、例えば画像データの複写が許可されない複写用印刷用紙の特徴情報や複写を禁止する画像データの地紋パターンが記憶された記憶装置と同一の記憶装置に記憶されていても良い。
【００６２】
システム制御部４５０は、演算処理装置であるＣＰＵ（Central Processing Unit）４５１、記憶装置であるＲＯＭ（Read Only Memory）４５２、ＲＡＭ（Random Access Memory）４５２とを有し、本実施形態の画像処理装置４００において実行される各種の処理の制御を司る。
【００６３】
操作表示部４６０は、本実施形態の画像処理装置４００の有する操作手段及び表示手段である。操作表示部４６０は、例えば液晶パネルを用いたオペレーションパネルなどにより実現される。
【００６４】
以下に図６を参照して本実施形態の画像処理装置４００の動作について説明する。図６は、第一の実施形態の画像処理装置４００の動作を説明するフローチャートである。
【００６５】
本実施形態の画像処理装置４００において、操作表示部４６０により紙原稿の複写指示がなされると、システム制御部４５０はこの指示を受け、画像取得部４１０に紙原稿の画像データを取得させる（Ｓ６０１）。
【００６６】
画像取得部４１０により画像データが取得されると、地紋パターン検出部４４５は、取得された画像データの地紋パターンを検出する（Ｓ６０２）。そして地紋パターン検出部４４５は、検出結果を複写禁止データ判定部４４６に対して出力する。複写禁止データ判定部４４６は、この検出結果の地紋パターンと、図示しない記憶装置に記憶された地紋パターンとを比較し、Ｓ６０１で取得された画像データが、複写が禁止された画像データであるか否かを判定する（Ｓ６０３）。
【００６７】
Ｓ６０３において、複写禁止データ判定部４４６により、Ｓ６０１において取得された画像データの複写が禁止されていないと判定された場合、複写禁止データ判定部４４６はこの判定結果を示す信号をセレクタ部４４９に対して出力する。セレクタ部４４９は、この信号に基づき、Ｓ６０１において取得された画像データの複写を行う処理を選択する（Ｓ６０４）。
【００６８】
セレクタ部４４９により画像データの複写処理が選択されると、Ｓ６０１において取得された画像データが、フィルタ処理部４４１、変倍処理部４４２、γ処理部４４３、階調処理部４４４により画像処理が施された状態でセレクタ部４４９から出力される。セレクタ部４４９から出力された画像データは、出力部４３０により印刷出力される（Ｓ６０５）。
【００６９】
Ｓ６０３において、複写禁止データ判定部４４６により、Ｓ６０１において取得された画像データの複写が禁止されていると判定された場合、複写禁止データ判定部４４６はこの判定結果を示す信号をセレクタ部４４９に対して出力する。セレクタ部４４９は、この信号をシステム制御部４５０へ伝達する。
【００７０】
システム制御部４５０は、この信号を受けて、用紙画像取得部４２０に複写用印刷用紙の画像データを取得させる（Ｓ６０６）。Ｓ６０６において取得された複写用印刷用紙の画像データは、特徴検出部４４７に対して出力される。特徴検出部４４７は、この画像データを受けると、画像データの特徴情報を検出する（Ｓ６０７）。Ｓ６０７において特徴検出部４４８により検出された特徴情報は、複写許可判定部４４８に対して出力される。
【００７１】
複写許可判定部４４８では、Ｓ６０７において取得された特徴情報と、図示しない記憶装置に記憶された特徴情報とを比較し、Ｓ６０６において取得された画像データの元となる複写用印刷用紙に対する画像データの複写が許可されるか否かを判定する（Ｓ６０８）。
【００７２】
Ｓ６０８において、複写許可判定部４４８により、Ｓ６０６で取得された画像データの元となる複写用印刷用紙に対する画像データの複写が許可された場合、複写許可判定部４４８はこの判定結果を示す信号をセレクタ部４４９へ出力する。セレクタ部４４９は、この信号を受けて、Ｓ６０１において取得された画像データを複写する処理を選択し（Ｓ６０９）、画像処理の施された画像データを出力部４３０へ出力する。出力部４３０では、この画像データを印刷出力する（Ｓ６１０）。
【００７３】
Ｓ６０８において、複写許可判定部４４８により、Ｓ６０６において取得された画像データの元となる複写用印刷用紙に対する画像データの複写が不許可とされた場合、複写許可判定部４４８はこの判定結果を示す信号をセレクタ部４４９へ出力する。セレクタ部４４９は、この信号を受けて、Ｓ６０１において取得された画像データを複写しない処理を選択する。
【００７４】
セレクタ部４４９は、画像データを複写しない処理を選択すると、画像書換部４４９ａによりＳ６０１において取得された画像データを所定の画像データに書き換える処理を行う（Ｓ６１１）。そしてセレクタ部４４９は、書き換えられた画像データを出力部４３０に対して出力する。出力部４３０は、この書き換えられた画像データを印刷出力する（Ｓ６１２）。
【００７５】
本実施形態の画像処理装置４００では、このようにして画像データの複写に対する制限を行う。
【００７６】
ここで、上述した処理により出力部４３０から出力された複写物の例を図７、図８に示す。図７は、第一の実施形態の画像処理装置４００において生成された複写物の例を示す第一の図である。図８は、第一の実施形態の画像処理装置４００において生成された複写物の例を示す第二の図である。
【００７７】
図７では、画像データの複写が禁止されていない紙原稿７０の複写用印刷用紙として印刷用紙Ｃが選択された場合と、印刷用紙Ｄが選択された場合の例を示している。
【００７８】
画像処理装置４００において、紙原稿７０が複写される場合にはＳ６０３において、画像データの複写が禁止されていないものと判定され、Ｓ６０５において複写処理が実行される。図７では、Ｓ６０５で実行された複写処理において、複写用印刷用紙として印刷用紙Ｄが選択されていた場合の複写物を複写物ａとし、印刷用紙Ｃが選択されていた場合の複写物を複写物ｂとして示した。
【００７９】
図８では、画像データの複写が禁止された紙原稿８０の複写用印刷用紙として印刷用紙Ｃが選択された場合と、印刷用紙Ｄが選択された場合の例を示している。
【００８０】
画像処理装置４００において、紙原稿８０が複写される場合にはＳ６０３において、画像データの複写が禁止されているものと判定されている。よってＳ６０７において、選択された複写用印刷用紙に対する画像データの複写が許可されるか否かが判定される。
【００８１】
ここで、印刷用紙Ｃは画像データの複写が許可される複写用印刷用紙とし、印刷用紙Ｄは画像データの複写が許可されない複写用印刷用紙とした。
【００８２】
画像処理装置４００において、印刷用紙Ｄが複写用印刷用紙として選択されていた場合、Ｓ６０８において印刷用紙Ｄに対する画像データの複写が許可されない。よって紙原稿８０に形成された画像データは、Ｓ６１１において所定の画像データへ書き換えられて印刷出力される。このように、印刷用紙Ｄへ書き換えられた画像データが形成された複写物を複写物ａとして図８に示す。
【００８３】
また画像処理装置４００において、印刷用紙Ｃが複写用印刷用紙として選択されていた場合、Ｓ６０８において印刷用紙Ｃに対する画像データの複写が許可されて、Ｓ６０９において画像データが印刷用紙Ｃへ複写される。このように印刷用紙Ｃへ画像データが複写された複写物を複写物ｂとして図８に示す。尚ここで、紙原稿８０の地紋パターンでは、メッセージ８１が小ドットで形成されている。よって紙原稿８０が画像形成装置４００において複写物ｂでは、メッセージ８１が白抜きの視認可能な状態となっている。
【００８４】
以上に説明したように、本実施形態の画像処理装置４００では、紙原稿に形成された画像データが、複写の禁止された画像データであっても、画像データの複写が許可された印刷用紙に対しては複写を行うことができる。このため本実施形態の画像処理装置４００では、画像データの複写が禁止された複写用印刷用紙が選択された場合にのみ、画像データの複写を禁止することができる。よって本実施形態の画像処理装置４００では、所定の条件を満たした場合のみ、画像データの複写を禁止することができる。
【００８５】
また本実施形態の画像処理装置４００では、複写用印刷用紙として特徴のある印刷用紙を用いることにより、原本となる紙原稿との見分けを即座に行うことが可能な複写物を生成することができる。さらに本実施形態の画像処理装置４００では、特徴的な印刷用紙を用いて複写物を生成することにより、この複写物が機密文書の複写物であることを容易に判断させることができ、複写物の管理に注意を促すことができる。
【００８６】
尚本実施形態では、記録媒体を印刷用紙とし、記録媒体の特徴情報を色に係る情報、地模様やスタンプに係る情報などとしたが、これに限定されない。例えば記録媒体は、フロッピー（登録商標）ディスクやＳＤカード、電子カードなどであっても良い。この場合記録媒体の特徴情報は予め記録媒体に記録された情報であり、特徴検出部４４７は、記録媒体に記録された特徴情報を読み出すことにより、特徴情報を検出しても良い。
【００８７】
（第二の実施形態）
以下に図面を参照して本発明の第二の実施形態の画像処理装置について説明する。
【００８８】
本発明の第二の実施形態の画像処理装置４００Ａは、複写禁止データ判定部４４６における判定処理と、複写許可判定部４４８における判定処理を同時に実行する点で第一の実施形態の画像処理装置４００と相違する。よって、以下の本実施形態の説明では、第一の実施形態との相違点についてのみ説明し、第一の実施形態と同様の機能構成を有するものには、第一の実施形態の説明で用いた符号と同様の符号を付与し、その説明を省略する。
【００８９】
図９は、第二の実施形態の画像処理装置４００Ａの機能構成を示すブロック図である。
【００９０】
本実施形態の画像処理装置４００Ａは、第一の実施形態の画像処理装置４００の有する各部に加え、記憶装置４７０、送出部４８０とを有する。また本実施形態の画像処理装置４００Ａのセレクタ部４４９は、画像書換部４４９ａに加え、さら画像加工部４４９ｂを有する。
【００９１】
記憶装置４７０には、画像取得部４１０により取得された画像データが記憶される。また送出部４８０は、記憶装置４７０に記憶された画像データを、画像処理装置４００Ａと適切な方法で接続された情報処理装置４９０へ送出する。尚ここで、画像処理装置４０Ａと情報処理装置４９０とは、例えばネットワークを介して接続されていても良いし、その他の方法により接続されていても良い。
【００９２】
セレクタ部４４９の有する画像加工部４４９ｂは、画像取得部４１０により取得された画像データに所定の識別情報を付加する加工処理を行う。尚、ここで言う所定の識別情報とは、複写が禁止された画像データが複写された複写物であることを示す情報である。具体的には、例えば「複写」という文字情報をスタンプにしたもの等であっても良いし、特定のマークの画像などあっても良い。
【００９３】
以下に図１０を参照して本実施形態の画像処理装置４００Ａの動作について説明する。
【００９４】
図１０は、第二の画像処理装置４００Ａの動作を説明するフローチャートである。本実施形態の画像処理装置４００Ａでは、複写禁止データ判定部４４６における判定処理と、複写許可判定部４４８における判定処理を同時に実行する。
【００９５】
図１０におけるＳ１００１からＳ１００３までの処理は、第一の実施形態において説明した図６のＳ６０１からＳ６０３までの処理と同様であるから説明を省略する。
【００９６】
また、図１０におけるＳ１００４からＳ１００６までの処理は、第一の実施形態において説明した図６のＳ６０４からＳ６０６までの処理と同様であるから説明を省略する。
【００９７】
画像処理装置４００Ａにおいて、セレクタ部４４９は、Ｓ１００３における複写禁止データ判定部４４６による判定結果を示す信号と、Ｓ１００６における複写許可判定部４４８による判定結果を示す信号とを取得する（Ｓ１００７）。ここで本実施形態の画像処理装置４００Ａでは、複写許可判定部４４８による判定結果を優先させるものとした。
【００９８】
セレクタ部４４９は、Ｓ１００７において取得した２つの判定結果に基づき、画像データを複写する処理または画像データを複写しない処理の何れか一方の処理を選択する。以下に、セレクタ部４４９がＳ１００７で取得し得る判定結果の組合せ毎に、セレクタ部４４９における処理の選択について説明する。
【００９９】
始めに、複写許可判定部４４８において複写用印刷用紙に対する画像データの複写が許可されている場合について説明する。本実施形態の画像処理装置４００Ａの複写許可判定部４４８における判定結果が優先される。よって本実施形態においてセレクタ部４４９は、複写許可判定部４４８の判定結果に基づき処理の選択を行う。本実施形態の画像処理装置４００Ａでは、複写許可判定部４４８において複写用印刷用紙に対する画像データの複写が許可された場合、複写用印刷用紙に画像データが複写される。
【０１００】
画像処理装置４００Ａにおいて、複写許可判定部４４８が複写用印刷用紙に対する画像データの複写を許可し、且つ複写禁止データ判定部４４６が、画像データの複写を禁止しないと判定した場合、セレクタ部４４９は、画像データを複写する処理を選択する（Ｓ１００８）。そしてセレクタ部４４９は、画像処理が施された画像データを出力部４３０へ出力する。出力部４３０は、この画像データが印刷された複写用印刷用紙を出力して複写処理を終了する（Ｓ１００９）。
【０１０１】
また、複写許可判定部４４８が複写用印刷用紙に対する画像データの複写を許可し、可複写禁止データ判定部４４６が画像データの複写を禁止すると判定した場合も同様に、セレクタ部４４９は、画像データを複写する処理を選択する（Ｓ１０１０）。そしてセレクタ部４４９は、画像処理が施された画像データを出力部４３０へ出力する。出力部４３０は、この画像データが印刷された複写用印刷用紙を出力して複写処理を終了する（Ｓ１０１２）。
【０１０２】
次に、複写許可判定部４４８において複写用印刷用紙に対する画像データの複写が許可されない場合について説明する。本実施形態の画像処理装置４００Ａでは、複写許可判定部４４８において複写用印刷用紙に対する画像データの複写が許可されない場合、画像データに加工処理又は書換処理を施し、画像データの正確な複写を行わない。
【０１０３】
画像処理装置４００Ａにおいて、複写許可判定部４４８が複写用印刷用紙に対する画像データの複写を不許可とし、且つ複写禁止データ判定部４４６が、画像データの複写を禁止しないと判定した場合、セレクタ部４４９は、画像データを加工する処理を選択する（Ｓ１０１２）。
【０１０４】
セレクタ部４４９は、画像加工部４４９ｂにより、Ｓ１００１で取得された画像データに対し、所定の識別情報を付加する処理を実行させる。そしてセレクタ部４４９は、識別情報が付加された画像データを出力部４３０へ出力する。出力部４３０は、この識別情報が付加された画像データを印刷出力する（Ｓ１０１３）。
【０１０５】
また画像処理装置４００Ａにおいて、複写許可判定部４４８が複写用印刷用紙に対する画像データの複写を不許可とし、且つ複写禁止データ判定部４４６が、画像データの複写を禁止すると判定した場合、セレクタ部４４９は、画像データを書き換える処理を選択する（Ｓ１０１４）。
【０１０６】
セレクタ部４４９は、画像書換部４４９ａによりＳ１００１で取得された画像データを書き換え、書き換えられた画像データを記憶装置４７０に記憶させる。そしてセレクタ部４４９は書き換えられた画像データを出力部４３０へ取得する。出力部４３０は、この書き換えられた画像データを印刷出力する（Ｓ１０１５）。
【０１０７】
ここで、上述した処理により出力部４３０から出力された複写物の例を図１１、図１２に示す。図１１は、第二の実施形態の画像処理装置４００Ａにおいて生成された複写物の例を示す第一の図である。図１２は、第二の実施形態の画像処理装置４００Ａにおいて生成された複写物の例を示す第二の図である。
【０１０８】
図１１では、画像データの複写が禁止されていない紙原稿１１０の複写用印刷用紙として印刷用紙Ａが選択された場合と、印刷用紙Ｄが選択された場合の例を示している。ここで、印刷用紙Ａは画像データの複写が許可されない複写用印刷用紙であり、印刷用紙Ｄは画像データの複写が許可される複写用印刷用紙であるものとした。
【０１０９】
図１１において、画像データの複写が禁止されていない紙原稿１１０を画像データの複写が許可されない複写用印刷用紙に複写した場合の複写物を複写物ａとして示す。複写物ａには、図１０のＳ１０１２で説明したように、紙原稿１１０のデータは複写が禁止されていることを示すための識別情報１１１が付加されている。
【０１１０】
また図１１において、画像データの複写が禁止されていない紙原稿１１０を画像データの複写が許可された複写用印刷用紙に複写した場合の複写物を複写物ｂとして示す。この場合複写物ｂでは、図１０のＳ１００９で説明したように、紙原稿１１０に形成された画像データがそのまま複写されている。
【０１１１】
図１２では、画像データの複写が禁止されていない紙原稿１２０の複写用印刷用紙として印刷用紙Ａが選択された場合と、印刷用紙Ｄが選択された場合の例を示している。ここでも図１１に示す例と同様に、印刷用紙Ａは画像データの複写が許可されない複写用印刷用紙であり、印刷用紙Ｄは画像データの複写が許可される複写用印刷用紙であるものとした。
【０１１２】
図１２において、画像データの複写が禁止された紙原稿１２０を画像データの複写が許可されない複写用印刷用紙に複写した場合の複写物を複写物ａとして示す。この場合、図１０のＳ１０１４で説明したように、複写物ａには書き換えられた画像データが形成されており、紙原稿１１０に形成された画像データは複写されていない。
【０１１３】
また図１２において、画像データの複写が禁止された紙原稿１２０を画像データの複写が許可された複写用印刷用紙に複写した場合の複写物を複写物ｂとして示す。この場合複写物ｂには、図１０のＳ１０１０で説明したように、紙原稿１１０に形成された画像データがそのまま複写されている。尚ここで、紙原稿１２０の地紋パターンには、メッセージ１２１が小ドットで形成されているものとした。よって紙原稿１２０を画像処理装置４００Ａにおいて複写した場合に、複写物ｂではメッセージ１２１が白抜きの視認可能な状態となっている。
【０１１４】
以上に説明したように、本実施形態の画像処理装置４００Ａでは、複写許可判定部４４８において複写用印刷用紙に対する画像データの複写が許可されない場合に、画像データに対し加工処理又は書換処理を施している。
【０１１５】
また本実施形態の画像処理装置４００Ａでは、画像取得部４１０により取得された画像データが記憶装置４７０に記憶されている。本実施形態の記憶装置４７０に記憶される画像データは、複写が禁止された画像データである。本実施形態の画像処理装置４００Ａでは、この複写が禁止された画像データを画像ログとして記憶装置４７０に記憶し、この記憶装置４７０に記憶された画像データを画像処理装置４００Ａへ接続された情報処理装置４９０へ送出部４８０により送出する。ここで送出部４８０より送出された画像データは、情報処理装置４９０において保管、管理される。尚情報処理装置４９０は、例えば画像処理装置４００Ａにおけるログを管理するための装置であっても良い。
【０１１６】
このように、複写を禁止された画像データが取得された場合に、この画像データをログ情報として外部装置へ送出することにより、複写禁止の複写に係る操作履歴を追跡することができ、複写禁止の文書を管理することができる。
【０１１７】
また本実施形態の画像処理装置４００Ａでは、記憶装置４７０に記憶された画像データが送出部４８０により情報処理装置４９０へ送出されると、システム制御部４５０により送出された画像データが記憶装置４７０から消去される。このように、送出された画像データを順次消去していけば、記憶装置４７０に記憶された画像データのデータ容量が、記憶装置４７０の容量を超えることを防止できる。
【０１１８】
また、以上に説明した実施形態における各機能を実現する手順は、コンピュータに読み取り可能なプログラムとして記録媒体に記録されていても良い。
【０１１９】
図１３は、各実施形態で説明した各機能を実現させるプログラムが記録された記録媒体を説明する図である。記録媒体６１０に記録されたプログラムが、コンピュータ５００に読み込まれて実行されることにより各本実施形態で説明した機能を実現することができる。
【０１２０】
例えばコンピュータ５００は、ＣＰＵ５１０、ハードディスク５２０、メモリ５３０、表示部５４０、入力部５５０、通信部５６０、記録媒体読込部５７０を備えている。ＣＰＵ５１０は演算処理装置であって、コンピュータ５００において実行される演算や処理を実行する。ハードディスク５２０は、データを格納する記録手段であって、コンピュータ５００上で動作するアプリケーションや、このアプリケーションにより作成されたデータなどが格納されている。メモリ５３０には、コンピュータ５００に係る各種の設定値や、ＣＰＵ５１０での演算結果などが格納される。
【０１２１】
表示部５４０はディスプレイなどであり、コンピュータ５００において作成されたデータなどをユーザに閲覧可能に表示する。入力部５５０は例えばキーボードやマウスであって、ユーザの操作により各種データが入力される。通信部５６０は例えばネットワークコントロールユニットなどであり、コンピュータ５００が外部の装置と通信を行うためのものである。記録媒体読込部５７０は、各種記録媒体に記録されたデータやプログラムなどを読み込むものであり、例えばフロッピー（登録商標）ディスクドライバなどである。
【０１２２】
記録媒体６１０は、本実施例の各機能を実現させる画像処理プログラム６００が記録されている。この画像処理プログラム６００は、記録媒体読み込み部５７０により読み込まれてＣＰＵ５１０において実行される。記録媒体６１０は、例えばフロッピー（登録商標）ディスクやＣＤ−ＲＯＭ（Compact Disk Read Only Memory）等であっても良く、コンピュータ５００において読み取り可能なに媒体であれば良い。また、画像処理プログラム６００はネットワークを介して通信部５６０により受信されて、ハードディスク５２０等に格納されても良い。
【０１２３】
以上、各実施形態に基づき本発明の説明を行ってきたが、上記実施形態にあげた構成、その他の要素との組み合わせなど、ここで示した要件に本発明が限定されるものではない。これらの点に関しては、本発明の主旨をそこなわない範囲で変更することができる。
【産業上の利用可能性】
【０１２４】
本発明は、画像データの複写を行う画像形成装置、画像形成方法、画像処理プログラム及び記録媒体において利用可能である。
【図面の簡単な説明】
【０１２５】
【図１】第一の実施形態の画像処理装置において複写される紙原稿１０１の例を説明する図である。
【図２】第一の実施形態の画像処理装置において複写された紙原稿１０１の複写物を説明する第一の図である。
【図３】第一の実施形態の画像処理装置において複写された紙原稿１０１の複写物を説明する第二の図である。
【図４】第一の実施形態の画像処理装置４００の機能構成を示すブロック図である。
【図５】第一の実施形態の画像処理装置４００において画像データが複写される印刷用紙を説明する図である。
【図６】第一の実施形態の画像処理装置４００の動作を説明するフローチャートである。
【図７】第一の実施形態の画像処理装置４００において生成された複写物の例を示す第一の図である。
【図８】第一の実施形態の画像処理装置４００において生成された複写物の例を示す第二の図である。
【図９】第二の実施形態の画像処理装置４００Ａの機能構成を示すブロック図である。
【図１０】第二の画像処理装置４００Ａの動作を説明するフローチャートである。
【図１１】第二の実施形態の画像処理装置４００Ａにおいて生成された複写物の例を示す第一の図である。
【図１２】第二の実施形態の画像処理装置４００Ａにおいて生成された複写物の例を示す第二の図である。
【図１３】各実施形態で説明した各機能を実現させるプログラムが記録された記録媒体を説明する図である。
【符号の説明】
【０１２６】
４００、４００Ａ  画像処理装置
４１０  画像取得部
４２０  用紙画像取得部
４３０  出力部
４４０  画像処理部
４４５  地紋パターン検出部
４４６  複写禁止データ判定部
４４７  特徴検出部
４４８  複写許可判定部
４４９  セレクタ部
４４９ａ  画像書換部
４４９ｂ  画像加工部
４５０  システム制御部
４６０  操作表示部
４７０  記憶装置
４８０  送出部
４９０  情報処理装置
５００  コンピュータ
６００  画像処理プログラム
６１０  記録媒体
【図１】
2009049657.tif 000003
【図２】
2009049657.tif 000004
【図３】
2009049657.tif 000005
【図４】
2009049657.tif 000006
【図５】
2009049657.tif 000007
【図６】
2009049657.tif 000008
【図７】
2009049657.tif 000009
【図８】
2009049657.tif 000010
【図９】
2009049657.tif 000011
【図１０】
2009049657.tif 000012
【図１１】
2009049657.tif 000013
【図１２】
2009049657.tif 000014
【図１３】
2009049657.tif 000015